(57)【要約】【課題】防犯機能の他人等による強制停止を防いだ防犯機能付き携帯電話機を提供すること。【解決手段】本発明の防犯機能付き携帯電話機１は、二次電池１０と、二次電池１０を収納するための電池収納部３と、電池収納部３を覆うカバー７と、所定の操作により警報音等を発生する警報発生手段と、を備えた防犯機能付き携帯電話機１であって、二次電池１０の一側面には外方に向かって突出した突起部１１が設けられ、電池収納部３には突起部１１を収納するための切り欠き４が設けられ、切り欠き４内に突起部１１を収納した状態で固定して二次電池１０の取り外しを防止する固定板１５及びビス１６からなる固定手段が取り付けられている。【選択図】図１
2008005271.tif 000002
【特許請求の範囲】
【請求項１】
二次電池と、該二次電池を収納するための電池収納部と、該電池収納部を覆うカバーと、所定の操作により警報音等を発生する警報発生手段と、を備えた防犯機能付き携帯電話機であって、前記二次電池の一側面には外方に向かって突出した突起部が設けられ、前記電池収納部には前記突起部を収納するための切り欠きが設けられ、該切り欠き内に前記突起部を収納した状態で固定して前記二次電池の取り外しを防止する固定手段が取り付けられていることを特徴とする防犯機能付き携帯電話機。
【請求項２】
前記固定手段は特定の工具を用いて前記突起部の固定及び解除がなされるものであることを特徴とする請求項１に記載の防犯機能付き携帯電話機。
【請求項３】
前記固定手段は前記切り欠きの上部開口を覆う固定板と該固定板を前記電池収納部に螺着するビスとからなることを特徴とする請求項１に記載の防犯機能付き携帯電話機。
【請求項４】
前記二次電池は前記突起部に対向する側面に腕片を備え、該腕片を前記電池収納部に設けられた凹部に挿入した状態で前記腕片を軸として回動させることにより前記二次電池を前記電池収納部に収納するようになしたことを特徴とする請求項１に記載の防犯機能付き携帯電話機。
【発明の詳細な説明】
【技術分野】
【０００１】
本発明は防犯機能付き携帯電話機に関し、特に、例えば防犯機能として防犯ブザー等を備える携帯電話機において、防犯ブザー作動時にこの防犯ブザーの作動が強制的に停止されることを防ぐための防犯機能付き携帯電話機に関する。
【背景技術】
【０００２】
防犯を目的とする防犯ブザーが、現在特に子供や女性に広く普及している。しかし、この防犯ブザーは常に携帯しておく必要があり、また、緊急時に瞬時に作動させる必要があることから、この防犯ブザーの機能を一般的に常に手の届く所に携帯される携帯電話機に備えたものが特許文献にも紹介されている（例えば特許文献１〜３参照）。
【０００３】
図５は下記特許文献１に開示された警報ブザー付き携帯電話機の斜視図である。
【０００４】
下記特許文献１に開示された警報ブザー付き携帯電話機は、携帯電話機本体１０８の正面に、電話番号表示等を行う液晶画面１０９と、ダイヤルしたり、携帯電話機の機能を操作したりする複数のボタン１１０とが設けられている。また、正面上端部には、受信用スピーカーの音を外部に聞こえるようにする受信用穴１１１が穿孔され、下端部には、携帯電話機本体１０８内に内装された送信用の音声マイクに通話者の声が届くように通話用穴１１２が穿孔されている。そして、携帯電話機の背面には、携帯電話機本体１０８に内装された呼び出し音（いわゆる、着信音）を発生するスピーカーの音が外部に聞こえるようにする着信音用穴（図示せず）が穿孔されている。加えて、その上面には、伸縮自在とされた送受信用アンテナ１１３と、吊り紐１０１が取り付けられた警報発信用のスイッチ１０３とが設けられている。そして、このスイッチ１０３がオン状態、すなわち、吊り紐１０１が引っ張られて携帯電話機本体１０８から取り外された状態となったときに駆動する警報発生部を備えており、この警報発生部はスピーカーから例えば１００ｄＢ以上の警報音を発生させるようになっている。また、警報発生部の駆動に伴い、警報が駆動された携帯電話機を特定するための信号を送信したり、特定の電話番号にダイヤルするようにしたり、加えてこのダイヤルにより特定の電話番号に接続された際に、所定のメッセージを送るようにすることもできるものである。
【０００５】
また、下記特許文献２に開示された防犯または緊急避難機能を有する携帯電話機は、携帯電話機本体が防犯ブザーを備えているとともに、この防犯ブザーが携帯電話機のアンテナを引き抜くことにより鳴動するようになっている。詳しくは、携帯電話機本体には外周が胴体で覆われたアンテナガイドがある程度堅く嵌合しており、このアンテナガイドにはアンテナが比較的緩く摺動自在に嵌合しており、通常時はアンテナ部分のみ引出されて使用され、緊急時にはアンテナ部分を強く引っ張ることにより、アンテナガイドを本体から引き抜くことによって防犯ブザーが鳴動するものである。
【０００６】
さらに、下記特許文献３に開示された防犯機能付き携帯電話は、防犯機能を備えるとともに、この防犯機能が作動しているときに他人が勝手に警報を止めることを防止したものであって、本先行技術の携帯電話は、携帯電話本体と、この携帯電話本体に内蔵された防犯ブザー及びこの防犯ブザーの入力スイッチと、暗証番号記憶手段と、この暗証番号記憶手段内に記憶された暗証番号を入力することにより前記防犯ブザーを停止させる停止手段と、を備えている。そして、入力スイッチは携帯電話本体の外面より低く押した状態で防犯ブザーを作動させる押しボタンスイッチからなり、この押しボタンスイッチは、停止手段により防犯ブザーが停止されたときに、携帯電話本体の外面に突出する位置に復帰するようになしている。これにより、暗証番号を知らない他人は防犯ブザーを解除することができず、以って警報機としての機能を高めることができたものである。
【特許文献１】特開２００３−６０７５２号公報（段落［００１８］、［００２１］〜［００２４］、図１）
【特許文献２】特開２００３−６０７５３号公報（［請求項１］、［請求項２］、段落［００１２］〜［００１４］）
【特許文献３】特開２００２−５７８１６号公報（段落［０００３］、［０００５］、［０００７］、［００２３］）
【発明の開示】
【発明が解決しようとする課題】
【０００７】
上記各特許文献に開示された携帯電話機においては、防犯ブザーの機能を携帯電話機に備えるようにしたことによって別途防犯ブザーを持ち歩くことなく、非常時には迅速に防犯ブザーを作動させることができ好ましい。また、上記特許文献３に開示された携帯電話機においては、防犯機能が作動した状態で他人が勝手に防犯ブザーを停止させないように、物理的に防犯ブザーを停止させる機能を持たず、暗証番号によってのみ停止できるようにしたので、警報機能がより向上し、好ましい。
【０００８】
しかしながら、上記各特許文献に開示された防犯機能を備える携帯電話機の防犯ブザーの鳴動あるいは非常時における通信機能は、何れも携帯電話機本体の電源である二次電池から電源をとって作動するものである。すなわち、この防犯機能は例えば上記特許文献３に示すような機構を備えていたとしても、携帯電話の二次電池を取り外されてしまうと防犯機能は実質機能しなくなり、暗証番号を入力することなく防犯機能を停止されてしまうという問題点がある。加えて、既存の携帯電話機に使用されている二次電池は、携帯電話機背面に設けられた収納部に容易に着脱できる状態で収納され、カバーで覆っただけの極めて簡単な構造によって固定されているものであるので、緊急時にもすばやく取り外すことができてしまう。
【０００９】
本発明者らは上記問題点に鑑みて、防犯機能をより有効に動作させるための構成を種々検討した結果、携帯電話機の二次電池は、通常使用時には特に取り外す必要がない点に着目し、この二次電池自体を携帯電話機に容易に取り外すことが難しい固定手段を用いて固定するようになせば、上記問題点を解決することができることを見出し、本発明に至ったものである。
【００１０】
すなわち、本発明の目的は、防犯機能の他人等による強制停止を防いだ防犯機能付き携帯電話機を提供することである。
【課題を解決するための手段】
【００１１】
上記目的を達成するために、請求項１に記載の防犯機能付き携帯電話機は、二次電池と、該二次電池を収納するための電池収納部と、該電池収納部を覆うカバーと、所定の操作により警報音等を発生する警報発生手段と、を備えた防犯機能付き携帯電話機であって、前記二次電池の一側面には外方に向かって突出した突起部が設けられ、前記電池収納部には前記突起部を収納するための切り欠きが設けられ、該切り欠き内に前記突起部を収納した状態で固定して前記二次電池の取り外しを防止する固定手段が取り付けられていることを特徴とする。
【００１２】
また、請求項２に記載の発明は、請求項１に記載の防犯機能付き携帯電話機において、前記固定手段は、特定の工具を用いて前記突起部の固定及び解除がなされるものであることを特徴とする。
【００１３】
また、請求項３に記載の発明は、請求項１に記載の防犯機能付き携帯電話機において、前記固定手段は、前記切り欠きの上部開口を覆う固定板と該固定板を前記電池収納部に螺着するビスとからなることを特徴とする。
【００１４】
また、請求項４に記載の発明は、請求項１に記載の防犯機能付き携帯電話機において、前記二次電池は前記突起部に対向する側面に腕片を備え、該腕片を前記電池収納部に設けられた凹部に挿入した状態で前記腕片を軸として回動させることにより前記二次電池を前記電池収納部に収納するようになしたことを特徴とする。
【発明の効果】
【００１５】
本発明は上記構成を備えることにより、以下に示すような優れた効果を奏するものである。すなわち、請求項１に記載の発明によれば、電池収納部内の切り欠きに二次電池の突起部が収納された状態で固定手段により固定することにより、二次電池が電池収納部内で固定される。このような構成とすれば、例えばユーザが防犯目的で携帯電話機の防犯機能を作動させたとき、他人によって携帯電話機の電池が取り外されることによって防犯機能が強制的に停止される恐れがなく、高い防犯機能を維持することができる。すなわち、従来はカバーを取り外すのみで容易に取り外されていた二次電池を別途固定手段を用いて固定したことでこの二次電池の取り外しが容易に行えなくなることで、高い防犯機能を得られるものである。
【００１６】
また、請求項２に記載の発明は、二次電池を固定する固定手段として、特定の工具を用いるようなもの、例えば各種ドライバーや六角レンチ等が必要なビス等を用いるようになせば、容易にこの固定手段を取り外すことができなくなり、上記請求項１の効果をより得られるようになる。
【００１７】
また、請求項３に記載の発明は、固定手段として固定板とビスとを用い、固定板を切り欠きの上部を覆うようにビスにより電池収納部に固定するようになせば、簡単な構成で二次電池の固定ができるようになる。
【００１８】
また、請求項４に記載の発明は、二次電池に腕片を設け、この腕片を電池収納部の凹部に差し込み回動させることにより二次電池を電池収納部内に収納するようになしたことにより、突起部を固定するのみで二次電池の取り外しを不可能とするので、固定手段を簡単にすることができ好ましい。
【発明を実施するための最良の形態】
【００１９】
以下、図面を参照して本発明の最良の実施形態を説明する。但し、以下に示す実施形態は、本発明の技術思想を具体化するための防犯機能付き携帯電話機を例示するものであって、本発明をこれらに特定することを意図するものではなく、特許請求の範囲に含まれるその他の実施形態のものも等しく適応し得るものである。なお、以下には本発明の一実施例として防犯機能を備える折畳み式の携帯電話機について説明する。また、本発明の携帯電話機の備える防犯機能、すなわち警報発生手段は上述した従前の構造であっても、その他の構造であっても良く、適宜選択すればよいものであるのでこの警報発生手段に関する説明は以下では省略する。
【実施例】
【００２０】
図１は本発明の一実施例に係る携帯電話機を示し、図１（ａ）は携帯電話機のカバーを取り外した状態の裏面図、図１（ｂ）は図１（ａ）のＡ−Ａ線で切断した断面図、図２は図１（ａ）のＢ−Ｂ線で切断した状態を示す断面図、図３は二次電池を示す斜視図である。本発明の携帯電話機１は、表示部、各種操作ボタン、アンテナ、マイク及びスピーカー等を備えた公知の携帯電話機であり、ヒンジ機構９（図２参照）により上側本体２ａと下側本体２ｂとが折畳み可能となっている。なお、公知の携帯電話機の構造については説明を省略する。
【００２１】
この携帯電話機１の下側本体２ｂの裏面には、図１（ａ）に示すように、その上部に着信等を通知するスピーカー用のスピーカー穴８が設けられているとともに、その下方に二次電池１０が収納される電池収納部３が設けられている。この電池収納部３は所定の深さを有する開口が方形状の凹部であり、図１（ａ）における上部に位置する側壁の中央部付近の一部には、図１（ｂ）に示すように切り欠き４が設けられている。また、この切り欠き４に隣接する位置には、電池収納部３の開口からこの電池収納部の深さ方向に比較的短い距離進んだ位置に段部５が形成されており、この段部５にはビス孔６が設けられている。そして、電池収納部３の切り欠き４が設けられた側壁に対向する側壁、すなわち図１（ａ）における下部に位置する側壁には、所定の位置に少なくとも１箇所（例えば２箇所）の窪みが形成されている（図示省略）。なお、この窪みは電池収納部３の開口部分、つまり下側本体２ｂの裏側表面までは延設していない。
【００２２】
この電池収納部３には、図３に示す二次電池１０が収納されるようになっており、この二次電池１０は扁平な方形状をなし、その肉厚が電池収納部３の深さよりも小さく、縦横の長さが電池収納部の開口部の各辺の長さとほぼ同一あるいは僅かに小さく、電池収納部３内に収納できるものとなっている。また、この二次電池１０には、電池収納部３の切り欠き４が設けられた側壁に対応する側壁に、切り欠き４に対応する位置で且つ切り欠き４に収納可能な大きさの外方に突出する突起部１１が設けられており、また、この突起部１１が設けられた側壁に対向する二次電池１０の側壁には、上述した電池収納部３の窪みに対応する位置に例えば２本の腕片１２（図４参照）が設けられている。また、この腕片１２が形成された側壁には、ブラス及びマイナス端子からなる二次電池１０の端子１３（図４参照）が設けられ、電池収納部３の対応する位置に設けられた端子（図示省略）と接続することによって電気的な接続が行われる。
【００２３】
上述した二次電池１０を電池収納部３内に固定する固定手段は、扁平な板状体からなる固定板１５と、この固定板１５を電池収納部に固定するためのビス１６とで構成されている。固定板１５は所定の剛性を有する金属板等からなる扁平な板状体であって、その長手方向の一方が二次電池１０の突起部１１が収納された切り欠き４の開口部、すなわち下側本体２ｂの裏側表面の開口を封鎖する面となり、長手方向の他方にはビス１６が挿通される貫通孔１５ａが設けられている。ビス１６は固定板１５の貫通孔１５ａに挿通されるとともに、電池収納部３に設けられたビス孔６に固定されることで、固定板１５を固定するものであって、その頭部には六角棒レンチの嵌挿用の凹部１６ａが設けられている（図４参照）。これによりビス１６を取り付ける際及び取り外す際には六角棒レンチが必要となる。なお、ビス１６を取り付ける際に必要な工具としては六角棒レンチに限らず、ドライバー等の種々の工具を用いて取り付けられるようにしても良く、工具を用いることなく取り外しができるものでなければ良い。
【００２４】
次に、携帯電話機１への二次電池１０の取付工程を主に図４を参照して説明する。なお、図４は携帯電話機に二次電池を固定する工程を順に示した図である。
【００２５】
この取付けの際には、先ず図４（ａ）に示すように、電池収納部３に対して二次電池１０を収納する。この収納に際しては、先ず二次電池１０の腕片１２を電池収納部３の切り欠き４が設けられた側壁に対向する側壁に設けられた窪み内に挿入し、窪み内に挿入した腕片１２を軸として回動させて二次電池１０を電池収納部３内に収納する。このように収納することによって、二次電池３は図４（ａ）における上方向に垂直に引っ張っても取り外すことができなくなる。また、二次電池１０が電池収納部３内に収納された状態において、二次電池１０の突起部１１は電池収納部３の切り欠き４内に収納される。
【００２６】
次に二次電池１０の固定を行う。この際には、図４（ｂ）に示すように、ビス１６を固定板１５の貫通孔１５ａに挿通した状態で切り欠き４に隣接する段部５に設けられたビス孔６に挿入し、回転板１５の自由端が切り欠き４の上部開口を覆うようにして六角棒レンチによりビス１６を螺合させて固定する。このように固定された二次電池１０は、図４（ｃ）に示すような状態となり、この状態では固定板１５により突起部１１の切り欠き４からの脱出が規制されているために二次電池１０の取り外しは不可能となる。最後に二次電池１０を覆うようにカバー７（図２参照）を取り付けることにより、二次電池１０の収納が完了する。
【００２７】
上述した工程で取り付けられた二次電池１０を取り外す際には、カバー７を外し、ビス１６を取り外して固定板１５による突起部１１の固定を解除した後、二次電池１０を回動させる必要がある。このように構成することによって、緊急時に防犯機能を作動させた携帯電話機１から他人が勝手に二次電池１０を取り外すことを防止し、防犯機能が不必要に停止される危険性がなくなる。すなわち、従来の携帯電話機では、特別な工具を用いることなく二次電池の取り外しが行えてしまったために防犯機能を実現するための電源を取り外されると防犯機能は実質機能しなくなっていたが、本発明のように特別に工具を用いなければ二次電池を取り外すことができないようにすれば、他人がたまたまこのビスに合う工具を持ち合わせているようなことがない限り、二次電池を取り外すことによって防犯機能を停止することはできない。加えて、防犯機能は上述のとおり、通常その機能を停止させるときには暗証番号等を用いて行うものであるから、本発明の構造によって不都合が生じることもなく、また二次電池を取り外さなければいけない状態、例えばメンテナンスのために一時的に取り外すような場合にはメーカー等に任せればよく、何らの支障も生じない。
【図面の簡単な説明】
【００２８】
【図１】図１は本発明の一実施例に係る携帯電話機を示し、図１（ａ）は携帯電話機のカバーを取り外した状態の裏面図、図１（ｂ）は図１（ａ）のＡ−Ａ線で切断した断面図である。
【図２】図２は図１（ａ）のＢ−Ｂ線で切断した状態を示す断面図である。
【図３】図３は二次電池を示す斜視図である。
【図４】図４は携帯電話機に二次電池を固定する工程を順に示した図である。
【図５】図５は先行技術の警報ブザー付き携帯電話機の斜視図である。
【符号の説明】
【００２９】
１        携帯電話機
２ａ      上側本体
２ｂ      下側本体
３        電池収納部
４        切り欠き
５        段部
６        ビス孔
７        カバー
８        スピーカー穴
１０      二次電池
１１      突起部
１２      腕片
１５      固定板
１６      ビス
【図１】
2008005271.tif 000003
【図２】
2008005271.tif 000004
【図３】
2008005271.tif 000005
【図４】
2008005271.tif 000006
【図５】
2008005271.tif 000007
【手続補正書】
【提出日】平成18年7月31日(2006.7.31)
【手続補正１】
【補正対象書類名】明細書
【補正対象項目名】００２０
【補正方法】変更
【補正の内容】
【００２０】
図１は本発明の一実施例に係る携帯電話機を示し、図１（ａ）は携帯電話機の下側本体のカバーを取り外した状態の裏面図、図１（ｂ）は図１（ａ）のＡ−Ａ線で切断した断面図、図２は図１（ａ）のＢ−Ｂ線で切断した状態を示す断面図、図３は二次電池を示す斜視図である。本発明の携帯電話機１は、表示部、各種操作ボタン、アンテナ、マイク及びスピーカー等を備えた公知の携帯電話機であり、ヒンジ機構９（図２参照）により上側本体（図示省略）と下側本体２とが折畳み可能となっている。なお、公知の携帯電話機の構造については説明を省略し、また、携帯電話機１の上側本体についても公知の構造を採用するものとして図示及びその説明を省略する。
【手続補正２】
【補正対象書類名】明細書
【補正対象項目名】００２１
【補正方法】変更
【補正の内容】
【００２１】
この携帯電話機１の下側本体２の裏面には、図１（ａ）に示すように、その上部に着信等を通知するスピーカー用のスピーカー穴８が設けられているとともに、その下方に二次電池１０が収納される電池収納部３が設けられている。この電池収納部３は所定の深さを有する開口が方形状の凹部であり、図１（ａ）における上部に位置する側壁の中央部付近の一部には、図１（ｂ）に示すように切り欠き４が設けられている。また、この切り欠き４に隣接する位置には、電池収納部３の開口からこの電池収納部の深さ方向に比較的短い距離進んだ位置に段部５が形成されており、この段部５にはビス孔６が設けられている。そして、電池収納部３の切り欠き４が設けられた側壁に対向する側壁、すなわち図１（ａ）における下部に位置する側壁には、所定の位置に少なくとも１箇所（例えば２箇所）の窪みが形成されている（図示省略）。なお、この窪みは電池収納部３の開口部分、つまり下側本体２の裏側表面までは延設していない。
【手続補正３】
【補正対象書類名】明細書
【補正対象項目名】００２３
【補正方法】変更
【補正の内容】
【００２３】
上述した二次電池１０を電池収納部３内に固定する固定手段は、扁平な板状体からなる固定板１５と、この固定板１５を電池収納部に固定するためのビス１６とで構成されている。固定板１５は所定の剛性を有する金属板等からなる扁平な板状体であって、その長手方向の一方が二次電池１０の突起部１１が収納された切り欠き４の開口部、すなわち下側本体２の裏側表面の開口を封鎖する面となり、長手方向の他方にはビス１６が挿通される貫通孔１５ａが設けられている。ビス１６は固定板１５の貫通孔１５ａに挿通されるとともに、電池収納部３に設けられたビス孔６に固定されることで、固定板１５を固定するものであって、その頭部には六角棒レンチの嵌挿用の凹部１６ａが設けられている（図４参照）。これによりビス１６を取り付ける際及び取り外す際には六角棒レンチが必要となる。なお、ビス１６を取り付ける際に必要な工具としては六角棒レンチに限らず、ドライバー等の種々の工具を用いて取り付けられるようにしても良く、工具を用いることなく取り外しができるものでなければ良い。
【手続補正４】
【補正対象書類名】明細書
【補正対象項目名】００２８
【補正方法】変更
【補正の内容】
【００２８】
【図１】図１は本発明の一実施例に係る携帯電話機を示し、図１（ａ）は携帯電話機の下側本体のカバーを取り外した状態の裏面図、図１（ｂ）は図１（ａ）のＡ−Ａ線で切断した断面図である。
【図２】図２は図１（ａ）のＢ−Ｂ線で切断した状態を示す断面図である。
【図３】図３は二次電池を示す斜視図である。
【図４】図４は携帯電話機に二次電池を固定する工程を順に示した図である。
【図５】図５は先行技術の警報ブザー付き携帯電話機の斜視図である。
【手続補正５】
【補正対象書類名】明細書
【補正対象項目名】００２９
【補正方法】変更
【補正の内容】
【００２９】
１        携帯電話機
２        下側本体
３        電池収納部
４        切り欠き
５        段部
６        ビス孔
７        カバー
８        スピーカー穴
１０      二次電池
１１      突起部
１２      腕片
１５      固定板
１６      ビス
【手続補正６】
【補正対象書類名】図面
【補正対象項目名】図１
【補正方法】変更
【補正の内容】
【図１】
2008005271.tif 000008
【手続補正７】
【補正対象書類名】図面
【補正対象項目名】図２
【補正方法】変更
【補正の内容】
【図２】
2008005271.tif 000009
【手続補正８】
【補正対象書類名】図面
【補正対象項目名】図４
【補正方法】変更
【補正の内容】
【図４】
2008005271.tif 000010